(57)【要約】    【課題】  ファッションセンスの客観化に寄与する求人仲介システムを提供する。    【解決手段】  販売対象となる商品に関する商品データをアップロードする権限を持つ出店者が販売対象となる商品データを格納する商品ＤＢと、商品データに関するコメントデータをアップロードする権限を持つ登録ユーザが個人の属性データを格納する登録ユーザ属性ＤＢと、  その登録ユーザ属性ＤＢに対するアクセス権限があるか無いかを判断するアクセス権限演算手段と、そのアクセス権限演算手段によってアクセス権限があると判断した場合に当該アクセス者に対して登録ユーザ属性ＤＢを閲覧可能とする閲覧許諾手段と、商品ＤＢを閲覧した登録ユーザがアップロードしたコメントデータを受信して格納する登録ユーザコメントＤＢとを備える。【選択図】    図２
2007299108.tif 000002
【特許請求の範囲】
【請求項１】
販売対象となる商品に関する商品データをアップロードする権限を持つ出店者が送信した販売対象となる商品データを格納する商品データベースと、
前記商品データに関するコメントデータをアップロードする権限を持つ登録ユーザが送信した個人の属性データを格納する登録ユーザ属性データベースと、
その登録ユーザ属性データベースに対するアクセス者にアクセス権限があるか無いかを判断するアクセス権限演算手段と、
そのアクセス権限演算手段によってアクセス権限があると判断した場合に当該アクセス者に対して登録ユーザ属性データベースを閲覧可能とする閲覧許諾手段と、
前記商品データベースを閲覧した登録ユーザがアップロードしたコメントデータを受信して格納する登録ユーザコメントデータベースと、を備えたことを特徴とする求人仲介システム。
【請求項２】
前記の登録ユーザコメントデータベースにおける各コメントデータに対する評価データを受信して格納して閲覧可能とするコメント評価データベースを備えたことを特徴とする請求項１に記載の求人仲介システム。
【請求項３】
前記のアクセス権限演算手段は、当該アクセス者についての広告料と商品仲介手数料とを変数とした演算式が所定以上の値である場合にアクセス権限を付与することとした請求項１または請求項２のいずれかに記載の求人仲介システム。
【請求項４】
前記の登録ユーザ属性データベースにおける各個人の属性データは、所定の専門学校による身分保障データを含むこととした請求項１から請求項３のいずれかに記載の求人仲介システム。
【請求項５】
販売対象となる商品に関する商品データをアップロードする権限を持つ出店者が販売対象となる商品データを送信した場合にその商品データを受信して商品データベースに格納する商品データ格納手順と、
前記商品データに関するコメントデータをアップロードする権限を持つ登録ユーザが当該登録ユーザの属性データを送信した場合にその属性データを登録ユーザ属性データベースに格納する属性データ格納手順と、
その登録ユーザ属性データベースに対するアクセス者にアクセス権限があるか無いかを判断するアクセス権限演算手順と、
そのアクセス権限演算手順によってアクセス権限があると判断した場合に当該アクセス者に対して登録ユーザ属性データベースを閲覧可能とする閲覧許諾手順と、
前記商品データベースを閲覧した登録ユーザがアップロードしたコメントデータを受信して登録ユーザコメントデータベースに格納するコメントデータ格納手順と、をコンピュータに実行させることとしたコンピュータプログラム。
【請求項６】
前記の登録ユーザコメントデータベースにおける各コメントデータに対する評価データを受信してコメント評価データベースに格納して閲覧可能とするコメント評価データ格納手順を備えたことを特徴とする請求項５に記載のコンピュータプログラム。
【請求項７】
前記のアクセス権限演算手順は、広告料と商品仲介手数料とを変数とした演算式が所定以上の値である場合にアクセス権限を付与することとした請求項５または請求項６のいずれかに記載のコンピュータプログラム。
【発明の詳細な説明】
【技術分野】
【０００１】
本発明は、通信技術および情報処理技術を利用して、求人をマッチングさせるための情報提供技術に関する。
【背景技術】
【０００２】
インターネットを活用して求人情報を発信したり、求人への応募をしたりする技術について、「求人×仲介×システム」というキーワードにて調査したところ、４７件の特許出願がヒットした。
その中で特許文献１に記載の技術を抽出した。この技術は、利用者にとって真に必要なマッチングのみを効率よく検索できる情報仲介システムを提供することを目的とした技術である。
【０００３】
【特許文献１】特開２００３−３０３１４号公報
【発明の開示】
【発明が解決しようとする課題】
【０００４】
さて、ファッション業界（服飾製品小売業など）における求人や就職についての特徴を、以下に説明する。
第一に、専門学校にて学んだ学生が、ファッションメーカ、小売店における販売店に就職したり、スタイリストやパターンナーとして個人的に活躍したりする。ファッション関係の雑誌の編集者となる場合や、販売員やスタイリストが雑誌のライターを兼ねる場合もある。
第二に、上記の専門学校の卒業が就職のための必須条件ではなく、所定の資格や試験が存在することもない。いずれの就職先においても、「ファッションセンス」という数値化しにくいスキルが求められているからである。
【０００５】
追記すると、前述の「ファッションセンス」は、老若男女に対して不変なスキルではない。たとえば、マーケットのセグメントによって得意不得意があるのが普通である。たとえば、１０代から２０代の男性には強いが３０代以上の男性には弱いとか、２０代の女性には強いが１０代の女性には弱い、などである。
更に、経験を積めばある程度のレベルに達するスキル、経験を積んでも芽が出ないスキル、経験の有無がほとんど不要なスキルなどが存在する。
【０００６】
以上のように、ファッション業界において求められる人材には「ファッションセンス」という数値化しにくいスキル、換言すると、履歴書に記載しにくいスキルが必要である。このため、人材のミスマッチが非常に起こりやすい業界であり、離職率が高くなってしまっている。たとえば、ファッションセンスの高い人材を常に求めているアパレルメーカと、センスとしては平凡な人材とが、ミスマッチを起こす確率が高い。
離職率が高いということは、業界全体にとっても、求人に応募する人にとっても、何らのプラスもない。
【０００７】
一方、「ファッションセンス」という数値化しにくいスキルは、専門学校においても教授しにくい。しかし、ファッションセンスのある人材をファッション業界に提供したという実績が継続できないと専門学校としての魅力が低下し、ひいては学校経営にも支障を来すことにもなる。
【０００８】
前述してきたファッション業界の特殊性に対応できる技術は、前出４７件の特許出願の中には発見できなかった。
本願発明は、ファッション業界の採用基準たるファッションセンスを可視化する情報処理技術を提供することにより、ファッションセンスの客観化に寄与することを目的とする。
【課題を解決するための手段】
【０００９】
本発明は、上記した課題を解決するため、ユーザに係る情報端末およびインターネットを用いてインタラクティブ性を確保した通信システム技術およびコンピュータによる情報処理技術を用いて構築した商品売買システムと、人材発掘サイトおよび人材仲介サイトとを組み合わせた。
【００１０】
（請求項１）
請求項１記載の発明は、  販売対象となる商品に関する商品データをアップロードする権限を持つ出店者が送信した販売対象となる商品データを格納する商品データベースと、  前記商品データに関するコメントデータをアップロードする権限を持つ登録ユーザが送信した個人の属性データを格納する登録ユーザ属性データベースと、  その登録ユーザ属性データベースに対するアクセス者にアクセス権限があるか無いかを判断するアクセス権限演算手段と、  そのアクセス権限演算手段によってアクセス権限があると判断した場合に当該アクセス者に対して登録ユーザ属性データベースを閲覧可能とする閲覧許諾手段と、  前記商品データベースを閲覧した登録ユーザがアップロードしたコメントデータを受信して格納する登録ユーザコメントデータベースと、を備えたことを特徴とする求人仲介システムに係る。
【００１１】
（用語説明）
「販売対象となる商品」とは、代表的にはファッション業界における商品である。たとえばシャツ、スカート、パンツ類などの服飾商品、スカーフ、アクセサリーなどの服飾雑貨である。金銭による滞貨にて購入できる商品であればよく、美容院のカットサービスなどいわゆるサービス商品をも含むこととしてもよい。
「商品データ」とは、価格、サイズ、商品整理コードなど、商品を特定するためのデータである。
【００１２】
「コメントデータ」とは、商品に対する善し悪しなどの評価、商品の使用感についての感想、商品品質に対するクレームなどである。商品現物に対するコメントデータの他、商品データのみからのコメントデータの場合もある。また、コメントデータはテキストデータが主であるが、画像データ、音声データなどを含むことや、満点を定めた点数制（例えば、５点満点）との組み合わせであることを妨げない。
「属性データ」とは、氏名、性別、年齢、所属など、登録に係る個人を特定するためのデータである。求人を求めるショップ、企業に対して有益なデータであることが前提となる。
「商品データベース」および「登録ユーザコメントデータベース」に対するアクセスは、開放型である。すなわち、「登録ユーザ属性データベース」と異なり、誰でもアクセス可能であるか、簡単な会員登録などによってアクセス可能である。
【００１３】
（作用）
販売対象となる商品に関する商品データをアップロードする権限を持つ出店者は、販売対象となる商品データをアップロードし、その商品データは商品データベースに格納される。
その商品データベースに格納された前記商品データにアクセスし、当該商品データに関するコメントデータをアップロードする権限は、予め「登録ユーザ」に対して与えられる。また、その権限を持つ登録ユーザは、個人の属性データを登録ユーザ属性データベースに格納しておく。
その登録ユーザ属性データベースに対するアクセスがあった場合には、アクセス権限演算手段がそのアクセスについての権限の有無を判断する。アクセス権限があると判断された場合には、当該アクセス者が登録ユーザ属性データベースにアクセスすることを閲覧許諾手段が許諾する。
前記商品データベースを閲覧した登録ユーザがアップロードしたコメントデータを受信し、登録ユーザコメントデータベースに格納する。
【００１４】
商品データベースにアクセスを通じて商品が売買される。購入希望者は、購入前に登録ユーザコメントデータベースにアクセスして、評判を確かめることもできる。
アクセス権限があると判断されて登録ユーザ属性データベースにアクセスした者は、その属性データを、採用情報として用いることができる。その登録ユーザがアップロードしたコメントデータが登録ユーザコメントデータベースに存在すれば、それを参照して採用情報に活かすことができる。
【００１５】
（請求項２）
請求項２記載の発明は、請求項１に記載の求人仲介システムを限定したものである。
すなわち、  前記の登録ユーザコメントデータベースにおける各コメントデータに対する評価データを受信して格納して閲覧可能とするコメント評価データベースを備えたことを特徴とする。
【００１６】
（用語説明）
「評価データ」とは、登録ユーザが商品データベースに掲載された商品等に対して評価したデータを意味する。文章化されたテキストデータのほか、満点を定めた点数制（例えば、５点満点）、テキストデータと点数制との組み合わせなどがある。
【００１７】
（作用）
前記の登録ユーザコメントデータベースが閲覧に供される。閲覧者は、登録ユーザコメントデータベースにおける各コメントデータに対する評価データを送信する。すると、その評価データを受信してコメント評価データベースに格納し、そのコメント評価データベースも閲覧可能とする。
登録ユーザコメントデータベースが閲覧に供される反射的な効果として、登録ユーザは、コメントデータのレベルを高めようという自助努力が促される。
【００１８】
（請求項３）
請求項３記載の請求項１または請求項２のいずれかに記載の求人仲介システムを限定したものである。
すなわち、前記のアクセス権限演算手段につき、当該アクセス者についての広告料と商品仲介手数料とを変数とした演算式が所定以上の値である場合にアクセス権限を付与することとした求人仲介システムに係る。
【００１９】
（用語説明）
「広告料と商品仲介手数料とを変数とした演算式」とは、例えば、広告料と商品仲介手数料とを単純に足し算したものでよいし、それぞれに変数を掛けてもよい。たとえば、広告料を重視する場合にはその割合を相対的に上げ、商品の売買を活発化させたい場合には商品仲介手数料の割合を相対的に上げることとすればよい。そのほか、固定して運営する必要はなく、定期的に見直すこともできる。
【００２０】
（作用）
サイト運営者としては、登録ユーザ属性データベースを閲覧可能な制限条件を自由に設定することができる。
【００２１】
（請求項４）
請求項４記載の発明は、請求項１から請求項３のいずれかに記載の求人仲介システムを限定したものであり、前記の登録ユーザ属性データベースにおける各個人の属性データは、所定の専門学校による身分保障データを含むこととしたことを特徴とする。
【００２２】
（用語説明）
「専門学校」とは、本発明の商品データベースの商品に関わる専門学校である。例えば、商品がファッション、アパレル関連商品であれば、ファッションデザイン専門学校、服飾専門学校などである。
【００２３】
登録ユーザ属性データベースにおける各個人の属性データには、所定の専門学校による身分保障データが含まれている。このため、登録ユーザ属性データベースへのアクセス権限を有する企業等にとっては、安心できるデータが増えることとなる。
当該専門学校としては、この登録ユーザ属性データベースを通じて就職が決定すれば、就職先の質向上、就職率の向上などに寄与する。また、登録ユーザコメントデータベースに対するコメントデータのアップロードを介して、バーチャルな現場体験を学生に積ませることができる。
【００２４】
（請求項５）
請求項５記載の発明は、  販売対象となる商品に関する商品データをアップロードする権限を持つ出店者が販売対象となる商品データを送信した場合にその商品データを受信して商品データベースに格納する商品データ格納手順と、  前記商品データに関するコメントデータをアップロードする権限を持つ登録ユーザが当該登録ユーザの属性データを送信した場合にその属性データを登録ユーザ属性データベースに格納する属性データ格納手順と、  その登録ユーザ属性データベースに対するアクセス者にアクセス権限があるか無いかを判断するアクセス権限演算手順と、  そのアクセス権限演算手順によってアクセス権限があると判断した場合に当該アクセス者に対して登録ユーザ属性データベースを閲覧可能とする閲覧許諾手順と、  前記商品データベースを閲覧した登録ユーザがアップロードしたコメントデータを受信して登録ユーザコメントデータベースに格納するコメントデータ格納手順と、をコンピュータに実行させることとしたコンピュータプログラムに係る。
【００２５】
上記のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ伝送することも可能である。
また、汎用的な端末装置に対して、請求項１に記載の発明に係るプログラムをプリインストール、あるいはダウンロードすることで、他の請求項に係るシステム（サーバ）を形成することも可能である。
【００２６】
（請求項６）
請求項６に記載の発明は、請求項５に記載のコンピュータプログラムを限定したものである。
すなわち、前記の登録ユーザコメントデータベースにおける各コメントデータに対する評価データを受信してコメント評価データベースに格納して閲覧可能とするコメント評価データ格納手順を備えたことを特徴とする。
【００２７】
（請求項７）
請求項７に記載の発明は、請求項５または請求項６のいずれかに記載のコンピュータプログラムを限定したものであり、
すなわち、広告料と商品仲介手数料とを変数とした演算式が所定以上の値である場合にアクセス権限を付与することとしたものである。
【発明の効果】
【００２８】
請求項１から請求項４に記載の発明によれば、ファッション業界の採用基準たるファッションセンスを可視化する情報処理技術を提供することにより、ファッションセンスの客観化に寄与する求人仲介システムを提供することができた。
請求項５から請求項７に記載の発明によれば、ファッション業界の採用基準たるファッションセンスを可視化する情報処理技術を提供することにより、ファッションセンスの客観化に寄与する求人仲介プログラムを提供することができた。
【発明を実施するための最良の形態】
【００２９】
以下、本発明を実施の形態及び図面に基づいて、更に詳しく説明する。ここで使用する図面は、図１乃至図８である。
【００３０】
（図１）
図１に示した実施形態は、出品者、サイト運営者、登録ユーザの関係を示した概念図である。
サイト運営者においては、出品された商品に関するデータを閲覧可能とする出品データベース（図中では、データベースを「ＤＢ」と略記している）を備えている。
「出品対象となる商品」とは、たとえばシャツ、スカート、パンツ類などの服飾商品であるが、図示例では、「αｐ２」という名前の付いた半袖Ｔシャツと、「ＳＳ−３２２」という名前の付いたネクタイを例示している。
【００３１】
前述の半袖Ｔシャツたる「αｐ２」は、出品者である小売店Ａが出品したものである。また、前述のネクタイたる「ＳＳ−３２２」は、出品者であるアパレルメーカＣが出品したものである。これら商品については、商品の主要部が収まった写真データの他、価格、サイズなど、購入に必要なデータが付属しており、それらを含めた商品データは、一般ユーザが閲覧し、購入申し込みもその場でできるようになっている。
【００３２】
出品者は、サイト運営者が予め出品を許諾した者に限られることとしている。出品を許諾された者（図１では小売店Ａ、デパートＢ、アパレルメーカＣを例示）は、ＩＤとパスワードとをサイト運営者から付与され、それを用いて出品データベースへのアップロードを行っている。また、出品はしないものの、ファッション雑誌を刊行している出版社Ｐも、出品者の一員として参加している。
【００３３】
登録ユーザとは、サイト運営者と予め契約した専門学校が派遣登録したユーザである。ただし、専門学校による派遣登録がなければ登録ユーザになれない、という趣旨ではなく、所定の条件をクリアすることによって登録ユーザとなることができるように運営しても構わない。登録ユーザは出品ＤＢを閲覧することができ、登録ユーザであるユーザＤは、登録ユーザコメントＤＢに対して、前述の半袖Ｔシャツたる「αｐ２」に対するコメントをアップロードしている。また、登録ユーザであるユーザＥは、登録ユーザコメントＤＢに対して、前述のネクタイたる「ＳＳ−３２２」に対するコメントをアップロードしている。
なお、この登録ユーザコメントＤＢは、出品者、登録ユーザ自身も閲覧できることとして図示している。
【００３４】
（図２）
図２もまた、出品者、サイト運営者、登録ユーザの関係を示した概念図である。図２では、出品者が求人に関する所定のデータをアップロードする求人データベースを示す。また、登録ユーザが自分の属性データをユーザ属性データベースにアップロードし、所定の閲覧条件をクリアした出品者がそのユーザ属性データベースを閲覧可能である旨を示している。
なお、本実施形態では、求人データベースが登録ユーザに閲覧可能であるか否かは特定していない。サイト運営者は、閲覧について条件付けをすることもできるし、自由に閲覧することができるようにすることもできる。
【００３５】
図２中に概念的に示しているが、ユーザ属性データベースは、閲覧条件フィルタによってふるい分けられた出品者のみが閲覧することができる。この閲覧条件フィルタとは、アクセス権限演算手段でもあり、図３に図示している。
【００３６】
（図３）
図３には、閲覧条件フィルタの概念を例示している。
サイト運営者に対するサイトへの広告料と、サイト運営者の出品データベースへ出品して販売成約された売り上げに対する仲介手数料との合算が、所定の金額を超えた場合にのみ、ユーザ属性データベースに対するアクセス権限を付与することとしている。
登録ユーザが出品者に対して就職が決定した場合、人材紹介料を支払うこととしている場合には、その金額も前述の「仲介手数料」に合算できることとしてもよい。
【００３７】
図３の例示では広告料と商品仲介手数料とを単純に足し算したものとしたが、それぞれに所定の変数を掛けてもよい。たとえば、広告料を重視する場合にはその割合を相対的に上げ、商品の売買を活発化させたい場合には商品仲介手数料の割合を相対的に上げることとすればよい。そのほか、固定して運営する必要はなく、定期的に見直すこともできる。
【００３８】
（図４）
図４に示すのは、登録ユーザコメントデータベースが一般ユーザに閲覧可能とされている様子である。また、登録ユーザコメントデータベースを閲覧した一般ユーザＦおよび一般ユーザＧが、サイト運営者によって別途用意されたコメント評価データベースに対して、コメントをアップロードした様子をも示している。
更に、このコメント評価データベースもまた、一般ユーザＦ，Ｇを含めた一般のユーザが閲覧可能となっている。
【００３９】
（図５）
図５に示すのは、出品データベースに格納されたデータを、統計処理して閲覧しやすくした一例を示している。すなわち、出品データベースにおいて、ひとつひとつの商品に関するデータだけでなく、売り上げ実績のデータや登録ユーザコメントデータベースにおいて評価されたデータに基づいて、商品カテゴリー毎に人気ランキングを「ユーザ支持率」という形式とともに閲覧できるようにしている。
また、商品名の最後には、その商品が購入できるサイト（サイト運営者の直営サイトまたは出品者に係るサイト）を表示するとともに、在庫数を表示する。
【００４０】
（図６）
図６に示すのは、コメント評価データベースに格納されたデータを、統計処理して閲覧しやすくした一例を示している。すなわち、登録ユーザであるコメントライターごとに、一般ユーザの支持率を時系列に表示したものである。
【００４１】
（図７）
図７に示すのは、商品カテゴリーにおける比較ナビゲーションの一例を示したものである。ここでは、「小売りＡ店の製品ｕ」と、アパレルＣ社製品ｖ」というＴシャツのユーザ評価ベスト２を、５月第１週の集計として示している。
評価軸を６つとしたレーダーチャートを例示しているが、この表示例に限られるものではない。
【００４２】
（図８）
図８は、本システムのマクロな運営形態の一例を示す一概念図である。
出品データベースに対して、出品者（小売りＡ，Ｂ，Ｃ・・・）が商品データを提供し、一般ユーザはＥＣサイトにて比較ナビゲーションが閲覧できたり、その閲覧内容に対して広告主（大手アパレル、商社・・・）が広告を提供している様子を示している。
また、一般ユーザは出品データベースに対してアクセスして、購入希望を意思表示すると、ペイメント確認システムによってクレジット決済がなされ、商品倉庫、運搬会社を介して、購入を希望した商品が手元に届く様子をも示している。
【００４３】
以上のようなシステムを提供することで、登録ユーザは、センスを磨き鍛える場を体験できる。すなわち、一般ユーザの評価にさらされながら、出品された商品に対するコメントをアップロードすることで、売り場などの現場に行かずともセンスを鍛えることができる。
また、求人および求人に関するデータを求めている出品者にとっては、登録ユーザによるコメントを収集することで、客観化しにくい「ファッションセンス」を評価し、採用に関する決定のデータとすることができる。反射的に、人材のミスマッチ軽減に寄与する。
また、専門学校としては、登録ユーザ属性データベースを通じて就職が決定すれば、就職先の質向上、就職率の向上などに寄与する。加えて、登録ユーザコメントデータベースに対するコメントデータのアップロード、コメント評価データベースなどを介して、バーチャルな現場体験を学生に積ませることができる。
【産業上の利用可能性】
【００４４】
本願発明は、商品売買、商品流通、商品評価、専門学校などの人材教育、人材派遣、人材仲介などの分野において用いられる。本願発明は、ファッション業界に対する利用に適しているが、ファッション業界に限られるものではない。例えば、美容師の業界（その専門学校を含む）においても応用できる。
【図面の簡単な説明】
【００４５】
【図１】出品者、サイト運営者、登録ユーザの関係を示した概念図である。
【図２】出品者、サイト運営者、登録ユーザの関係を示した概念図である。
【図３】閲覧条件フィルタ（アクセス権減塩算手段）の一例を示す概念図である。
【図４】サイト運営者と一般ユーザとの関係を示す概念図である。
【図５】出品データベースに蓄積されたデータを整理して閲覧しやすく加工した一例を示す概念図である。
【図６】コメント評価データベースに蓄積されたデータを整理して閲覧しやすく加工した一例を示す概念図である。
【図７】商品カテゴリーにおける比較ナビゲーションの一例を示した概念図である。
【図８】本システムのマクロな運営形態の一例を示す一概念図である。
【図１】
2007299108.tif 000003
【図２】
2007299108.tif 000004
【図３】
2007299108.tif 000005
【図４】
2007299108.tif 000006
【図５】
2007299108.tif 000007
【図６】
2007299108.tif 000008
【図７】
2007299108.tif 000009
【図８】
2007299108.tif 000010